(57)【特許請求の範囲】
【請求項１】
原子力プラントに一体化された物体の移動を制限するのに適したシステムであって、
原子炉圧力容器（ＲＰＶ）と、
ジェットポンプ拘束具アセンブリブラケットを備える、前記ＲＰＶ内のジェットポンプアセンブリと、
ジェットポンプ拘束具アセンブリであって、
前記ジェットポンプ拘束具アセンブリブラケットの上面に取り付けられた上部支持板と、
前記ジェットポンプ拘束具アセンブリブラケットの下面に取り付けられた下部支持板とを備え、前記上部及び下部支持板は、前記ジェットポンプアセンブリの一部に係合する接触面を有しており、
前記上部及び下部支持板を一体化し、前記上部及び下部支持板を前記ジェットポンプ拘束具アセンブリブラケットに固定するように構成された複数の取付ボルトと、
前記ジェットポンプアセンブリの一部に荷重をかけるための機構と、
を備えるジェットポンプ拘束具アセンブリと、
を備えるシステム。
【請求項２】
前記機構は少なくとも１つの荷重ボルトを備えており、
前記荷重ボルトは、前記ジェットポンプアセンブリの入口ミキサに予圧を付与する、
請求項１に記載のシステム。
【請求項３】
前記予圧は前記入口ミキサの移動を制限する、請求項２に記載のシステム。
【請求項４】
前記入口ミキサと前記ジェットポンプ拘束具アセンブリブラケットとの間に配置されたくさびを更に備え、
前記くさびは、前記ジェットポンプ拘束具アセンブリブラケット内に前記入口ミキサを配置しやすくする、
請求項３に記載のシステム。
【請求項５】
前記機構は、前記下部支持板および前記上部支持板のうちの少なくとも１つの上に配置される、請求項１から４のいずれかに記載のシステム。
【請求項６】
前記機構は、第１の荷重ボルト及び第２の荷重ボルトを備える、請求項５に記載のシステム。
【請求項７】
前記第１及び第２の荷重ボルトの各々は、独立して前記ジェットポンプアセンブリの入口ミキサに予圧を付与する、請求項６に記載のシステム。
【請求項８】
前記第１及び第２の荷重ボルトは、前記下部支持板上に配置される、請求項７に記載のシステム。
【請求項９】
前記第１及び第２の荷重ボルトは、前記下部支持板の比較的中央部に隣接して配置される、請求項８に記載のシステム。
【請求項１０】
前記第１及び第２の荷重ボルトは、前記下部支持板の端部に隣接して配置される、請求項８に記載のシステム。
【発明の詳細な説明】
【技術分野】
【０００１】
本発明は、概して、原子炉圧力容器の一部の構成部品を一体化する接続部に関し、より詳細には、入口ミキサと対応する調節ねじの間の隙間を軽減する装置及びシステムに関する。本出願は、本発明の譲受人に譲渡された２００９年３月３日出願の米国特許出願第１２／３８５，０４１号に関連する。
【背景技術】
【０００２】
沸騰水型原子炉（ＢＷＲ）は、原子炉圧力容器（ＲＰＶ）内で、ＲＰＶの炉心領域に配置された燃料アセンブリのウラン収容管を取り囲む水を加熱することによって蒸気を発生させるように設計されている。ＲＰＶは、炉心領域における水循環を促進するように設計された再循環ループを有する。再循環ループは、一般的に、ＲＰＶから水を汲み出して、炉心領域を取り囲むＲＰＶ内の環状領域に配置されたジェットポンプアセンブリの入口に水を戻す大型遠心ポンプを包含する。ジェットポンプアセンブリは、環状領域内の周囲の水を取り込んでから、炉心領域内に所望のフローパターンを誘発する形で水を排出するように設計されている。
【０００３】
ジェットポンプアセンブリは、水の流れによる動水力及び／又は遠心ポンプの回転によって生じる振動の影響を受ける。従って、１つのＢＷＲ設計では、ジェットポンプアセンブリは、三点懸架装置を用いたブラケットを含むジェットポンプ拘束具アセンブリによって振動に対して水平方向に支持される。多点装置は、一般的に、ジェットポンプアセンブリに取り付けられ、ブラケットとジェットポンプの間の空間を通って延在する垂直方向の案内ロッド上に移動可能に取り付けられたくさびを包含する。くさびは、重力下で下方に摺動してブラケットとジェットポンプアセンブリの間の空間に入るように設計されており、ジェットポンプを調節ねじに対して付勢する。
【０００４】
慣例上、隙間は、調節ねじと入口ミキサの間に発生する。この隙間は、一般に補助くさびによって塞がれる。補助くさびは隙間に存在し、ブラケットにおける所望の多点接触を再構築する役目をする。一般に、この多点接触は、２つの調節ねじと主くさびを必要とする。
【発明の概要】
【発明が解決しようとする課題】
【０００５】
補助くさびの使用に関して幾つかの問題がある。設備は一般的に、多くの現場測定、仕上げ機械加工寸法の多くの独立した計算、機械加工、及び機械加工部品の検査を必要とする。これらのプロセスは、停止期間中に幾つかの工数を追加し得る。更に、補助くさびは、調節ねじから離れたミキサ管の移動を制限することができない。
【０００６】
前述の理由により、ＲＰＶのオペレータは、調節ねじの隙間の軽減に対処する装置を望んでいる。この装置は、調節ねじから離れたミキサ管の移動を制限しなければならない。
【課題を解決するための手段】
【０００７】
本発明の実施形態によれば、第２の構成部品と一体化した第１の構成部品の移動を制限するのに適した装置は、第１の構成部品に係合するように構成された接触面を有し、第１の構成部品に荷重をかけるように構成された機構を備える少なくとも１つの板からなる。
【０００８】
本発明の代替的実施形態によれば、原子力プラントに一体化された物体の移動を制限するのに適したシステムは、原子炉圧力容器（ＲＰＶ）と、ＲＰＶ内のジェットポンプアセンブリと、ジェットポンプ拘束具アセンブリであって、ジェットポンプ拘束具アセンブリブラケットの上面に取り付けられた上部支持板と、ジェットポンプ拘束具アセンブリブラケットの下面に取り付けられた下部支持板とを備え、上部及び下部支持板は、ジェットポンプアセンブリの一部に係合する接触面を有しており、上部及び下部支持板を一体化し、上部及び下部支持板をジェットポンプ拘束具アセンブリブラケットに固定するように構成された複数の取付ボルトと、ジェットポンプアセンブリの一部に荷重をかけるように構成された機構とを更に備えるジェットポンプ拘束具アセンブリとからなる。
【０００９】
本発明の実施形態の特徴及び利点は、添付図面を参照することによってより明らかになるであろう。添付図面は、例示的実施形態を示すことを目的としており、特許請求の範囲の意図された技術的範囲を限定するものと見なすべきではない。添付図面は、明確に記載されない限り、一定の比率で描かれたと見なすべきではない。
【図面の簡単な説明】
【００１０】
【図１】本発明の実施形態が動作する原子炉圧力容器（「ＲＰＶ」）によって特徴付けられたＢＷＲ（沸騰水型原子炉）の概略図である。
【図２】図１の線２−２に沿ったＲＰＶの部分概略斜視図であり、ジェットポンプアセンブリ装置の構成を示す切欠図を示す。
【図３】ブラケットを含むジェットポンプ拘束具アセンブリによって水平方向に支持されたジェットポンプアセンブリの部分立面斜視図であり、図２の線３−３に沿った図である。
【図４】本発明の第１の実施形態に従った、ブラケットと連結し、くさびに適合するジェットポンプ拘束具アセンブリリペアの部分分解図である。
【図５】本発明の第１の実施形態に従った、ブラケットと連結し、くさびに適合する図４のジェットポンプ拘束具アセンブリリペアの少し頭上の角度からの斜視図である。
【図６】本発明の第１の実施形態に従った、ブラケットと連結し、くさびに適合する図４のジェットポンプ拘束具アセンブリリペアの実施形態の少し下の角度からの斜視図である。
【図７】本発明の代替的実施形態に従った、ブラケットと連結する図４のジェットポンプ拘束具アセンブリリペアの部分分解図である。
【図８】本発明の代替的実施形態に従った、ブラケットと連結するジェットポンプ拘束具アセンブリリペアの代替的実施形態の少し頭上の角度からの斜視図である。
【図９】本発明の代替的実施形態に従った、ブラケットと連結するジェットポンプ拘束具アセンブリリペアの代替的実施形態の少し下の角度からの斜視図である。
【発明を実施するための形態】
【００１１】
特定の用語は本明細書において便宜のためだけに使用されており、本発明に対する限定とみなすべきではない。例えば、「上部」、「下部」、「左側」、「右側」、「水平方向」、「垂直方向」、「上流側」、「下流側」、「前部」、及び「後部」等の用語は、図に示す構成を説明しているにすぎない。実際、構成部品はあらゆる方向に配向できるため、特別の定めのない限り、この用語はそのような変形態様を包含するものとして理解されたい。
【００１２】
詳細な例示的実施形態を本明細書で開示する。しかし、本明細書で開示する特定の構造的且つ機能的詳細は、例示的実施形態を説明するための見本にすぎない。しかし、例示的実施形態は、多くの代替形態で実施しても良く、本明細書において記載される実施形態にのみ限定されるものとみなすべきではない。
【００１３】
従って、例示的実施形態は様々な変更態様及び代替形態が可能であるが、それらの実施形態は図面に例示され、本明細書で詳述する。しかし、例示的実施形態を開示された特定の形態に限定する意図はなく、それとは逆に、例示的実施形態は、例示的実施形態の範囲に含まれる全ての変更態様、等価物、及び代替形態を保護すべきであることを理解されたい。
【００１４】
第１、第２等の用語が、様々な要素を説明するために本明細書で使用されるが、これらの要素は、これらの用語によって限定されるべきではないことが理解されよう。これらの用語は、１つの要素を別の要素から区別するためにのみ使用される。例えば、例示的実施形態の範囲から逸脱することなく、第１の要素が第２の要素と呼ばれることもあり得るし、同様に、第２の要素が第１の要素と呼ばれることもあり得る。本明細書で使用されるように、「及び／又は」という用語は、関連する記載項目の１つ又は複数の任意の、及び全ての組み合わせを包含する。
【００１５】
要素が、別の要素に「接続される」又は「連結される」と言及されるとき、それは、その他の要素に直接的に接続又は連結されても良いし、或いは介在要素が存在しても良いことが理解されよう。対照的に、要素が、別の要素に「直接的に接続される」又は「直接的に連結される」と言及されるとき、介在要素は存在しない。要素間の関係を説明するために使用される他の用語も同様の様態で解釈されるべきである（例えば、「間に」に対する「間に直接的に」、「隣接して」に対する「直接的に隣接して」、等）。
【００１６】
本明細書で使用される用語は、特定の実施形態のみを説明するためにあり、例示的実施形態の限定を意図するものではない。本明細書で使用されるように、不定冠詞（「ａ」、「ａｎ」）及び定冠詞（「ｔｈｅ」）を冠する単数形は、文脈で特に明示しない限り、複数形も包含することを意図する。「備える（ｃｏｍｐｒｉｓｅｓ）」、「からなる（ｃｏｍｐｒｉｓｉｎｇ）」、「包含する（ｉｎｃｌｕｄｅｓ）」及び／又は「含む（ｉｎｃｌｕｄｉｎｇ）」という用語は、本明細書で使用されるとき、記載した特徴、整数、ステップ、動作、要素、及び／又は構成部品の存在を特定するが、１つ又は複数の他の特徴、整数、ステップ、動作、要素、構成部品、及び／又はそれらの群の存在又は追加を排除するものではないことが更に理解されよう。
【００１７】
また、一部の代替的な実施態様では、記載された機能／動作が図面に記載された順番から外れて生じ得ることに留意されたい。例えば、２つの連続した図は、関与する機能／動作に応じて、実質的に同時に実行しても良く、又は時には逆の順序で実行しても良い。
【００１８】
次に、様々な番号が幾つかの図を通して同様の部品を表す図面を参照する。図１は、内部で本発明の実施形態が動作する、２つの再循環ループを有する原子炉圧力容器（「ＲＰＶ」）によって特徴付けられるＢＷＲ（沸騰水型原子炉）の概略図である。図１は、原子炉圧力容器（「ＲＰＶ」）３０内で蒸気を発生させる工業用の沸騰水型原子炉（「ＢＷＲ」）２５を表す。工業用のＢＷＲ２５は、更に電力を発生させるタービン（図示せず）を駆動するように設計される。ＲＰＶ３０は、凝縮器（図示せず）からの凝縮水を受容するための主給水入口ノズル３５と、発生した蒸気をタービンに供給するための主蒸気出口ノズル４０を有する。ＲＰＶ３０は、炉心領域内で蒸気を発生させる複数の燃料アセンブリ５０を収容する炉心シュラウド４５と、炉心シュラウド４５上に配置された蒸気分離器／乾燥器アセンブリ５５を支持する。
【００１９】
図１に示すＲＰＶ３０は、その炉心領域内の水の流れを促進するための２つの再循環ループ６０を有する。各々の再循環ループ６０は、ＲＰＶ３０から水を汲み出すポンプ吸水管７５と、ＲＰＶ３０に水を送り込むポンプ排水管８０によって、ＲＰＶ３０の再循環水出口ノズル７０と接続された大型遠心原子炉冷却材ポンプ（「ＲＣＰ」）６５を有する。ポンプ排水管８０は、一般的に、ヘッダー８５と、配管９０で示される平行枝管を包含する。各々の配管分岐は、再循環水入口ノズル９５によって、平行に動作する一対のジェットポンプアセンブリ１０５まで延在する立上り管１００に接続される。
【００２０】
図２は、図１の線２−２に沿ったＲＰＶ３０の部分概略斜視図であり、ジェットポンプアセンブリ１０５を示す切欠図を示す。ジェットポンプアセンブリ１０５は、入口ミキサ１２０と、板１３０に支持されたディフューザ部１２５を包含する。ジェットポンプ拘束具アセンブリ１３５は、入口ミキサ１２０を立上り管１００に対して水平方向に制止するために使用される。図３に示すように、ボス１４０が入口ミキサ１２０の外周面に存在しても良い。
【００２１】
図３は、拘束ブラケット１４５を含むジェットポンプ拘束具アセンブリ１３５によって水平方向に支持された入口ミキサ１２０の部分立面斜視図であり、図２の線３−３に沿った図である。図３に示すように、ジェットポンプ拘束具アセンブリ１３５は、拘束ブラケット１４５と、調節ねじ１５０と、溶接部１７０とを包含する。くさび１５５は、入口ミキサ１２０に固定された垂直方向の案内ロッド１７５上に移動可能に取り付けられる。案内ロッド１７５は、案内ロッドナット２００に係合するねじ端部を有する。案内ロッド１７５の上部は、入口ミキサ１２０から延在する垂直板１６５間に延在する水平板１６０に固定される。案内ロッド１７５の下部は、入口ミキサ１２０から延在する垂直板２１０間に延在する水平板２０５に固定される。
【００２２】
図３に示すように、案内ロッド１７５の上端部は拘束ブラケット１４５より上にあり、案内ロッド１７５の下端部は拘束ブラケット１４５より下にある。また、くさび１５５は、くさび１５５の内面がボス１４０に接触し、傾斜したくさび１５５の外面１９０が拘束ブラケット１４５の端部１９５に接触する位置まで、重力下で案内ロッド１７５上を下方に移動する。くさび１５５の重さは、動水力及び振動に対して入口ミキサ１２０を水平方向に支持する２つ（又はそれ以上）の調節ねじ１５０に対して入口ミキサ１２０を付勢するのに十分な力を発揮する。調節ねじ１５０は、溶接部（図示せず）によって適所に固定される。都合の良いことに、この多点懸架装置は相当な熱膨張差に対応できる。
【００２３】
図４〜９に図示され、それに対応して後述するように、本発明の実施形態は、例えば、拘束ブラケット１４５だがこれに限らない第２の構成部品と一体化した、例えば、入口ミキサ１２０だがこれに限らない第１の構成部品の移動を制限するのに適した装置を提供する。この装置の実施形態は、第１の構成部品に係合するように構成された接触面を有し、第１の構成部品に荷重をかけるように構成された機構を有する少なくとも１つの板を備える。この荷重は、予圧、コールドスプリング等とみなされ、調節ねじ１５０とボス１４０の間の前述の隙間を軽減（又は解消）できる。この機構の実施形態は、第１の構成部品に予圧を付与する少なくとも１つの荷重ボルト３２５を備える。本発明の実施形態において、側部３４５（図７に示す）に隣接する領域３５０は、エネルギーを蓄積し、スプリングとして機能することができる。
【００２４】
図４は、本発明の第１の実施形態に従った、拘束ブラケット１４５及びくさび１５５と連結するジェットポンプ拘束具アセンブリリペア３００の部分分解図である。ジェットポンプ拘束具アセンブリリペア３００の第１の実施形態は、拘束ブラケット１４５の一部を部分的に取り囲むのに適した上部支持板３０５及び下部支持板３１０を備える。例えば、取付ナット３１５と取付ボルト３２０だがこれに限らない連結手段は、集合的に板３０５、３１０を適所に保持するように機能する。取付ナット３１５と取付ボルト３２０は、板３０５、３１０上のどこかに配置して、拘束ブラケット１４５に対する十分な支持及び確実な固定を可能にできる。本発明の第１の実施形態は、図４に示すように、２つの荷重ボルト３２５と、対応する荷重ナット３３０を更に備える。しかし、ジェットポンプ拘束具アセンブリリペア３００の実施形態は、２つ以上又は以下の荷重ボルト３２５と対応する荷重ナット３３０を備えていても良い。本発明の第１の実施形態において、２つの荷重ボルト３２５は、図４に示すように、下部支持板３１０を貫通しても良い。各々の荷重ボルト３２５の端部は、入口ミキサ１２０の表面にしっかりと係合する形状を備える。
【００２５】
図５は、本発明の第１の実施形態に従った、拘束ブラケット１４５と連結し、くさび１５５に適合する図４のジェットポンプ拘束具アセンブリリペア３００の少し頭上の角度からの斜視図である。図５は、組み立てられ、拘束ブラケット１４５上に取り付けられた図４のジェットポンプ拘束具アセンブリリペア３００を示す。先に述べたように、本発明の第１の実施形態は、図４に示すように、下部支持板３１０を貫通する２つの荷重ボルト３２５を設ける。これは、本発明に対する限定を意図していない。本発明のその他の実施形態は、少なくとも１つの荷重ボルト３２５が上部支持板３０５だけを貫通することを可能にする。更に、本発明のその他の実施形態は、少なくとも１つの荷重ボルト３２５が上部支持板３０５を貫通し、少なくとも１つの荷重ボルト３２５が下部支持板３１０を貫通することを可能にする。
【００２６】
図６は、本発明の第１の実施形態に従った、拘束ブラケット１４５と連結し、くさび１５５に適合する図４のジェットポンプ拘束具アセンブリリペア３００の実施形態の少し下の角度からの斜視図である。図６は、本発明の実施形態が、図４及び５に示す、荷重ナット３３０を必要としない荷重ボルト３２５を組み込んでいることを示す。ここでは、荷重ボルト３２５は、予圧をジェットポンプアセンブリ１０５又はくさび１５５に案内するトルクをかけるための皿穴手段を備える。例えば、これに限らないが荷重ボルト３２５の端部は、対応する六角レンチと嵌合する六角頭部の形態を有する。
【００２７】
図６は、更に、本発明の実施形態が、どのように入口ミキサ１２０上に直接多数の接触点を設けるのかを示す。これによって、くさび１５５の除去が可能になる。
【００２８】
本発明の第１の実施形態は、更に、各々の荷重ボルト３２５が独立して入口ミキサ１２０に予圧を付与することを可能にする。ここでは、各々の荷重ボルト３２５にかけられるトルクは、部分的には、例えば、これに限らないが、ジェットポンプ拘束具アセンブリリペア３００上の各々の荷重ボルトの物理的な位置に応じて変化する。
【００２９】
図７〜９は、ジェットポンプ拘束具アセンブリリペア３００の第２の実施形態を示す。図示及び後述するように、本発明の第１の実施形態と第２の実施形態の決定的な違いは、荷重ボルト３２５の位置である。図４〜６に示すように、第１の実施形態は、上部支持板３０５及び／又は下部支持板３１０の中央側部に隣接して配置された荷重ボルト３２５を有する。しかし、第２の実施形態の荷重ボルト３２５（図７〜９に示す）は、上部支持板３３５及び／又は下部支持板３４０の側部３４５に隣接して配置された荷重ボルト３２５を有する。
【００３０】
図７は、本発明に従った、拘束ブラケット１４５と連結するジェットポンプ拘束具アセンブリリペア３００の第２の実施形態の少し頭上の角度からの斜視図である。ジェットポンプ拘束具アセンブリリペア３００の第２の実施形態は、拘束ブラケット１４５の一部を部分的に取り囲むのに適した、上部支持板３３５及び下部支持板３４０を備える。例えば、取付ナット３１５と取付ボルト３２０だがこれに限らない連結手段は、集合的に板３３５、３４０を適所に保持するように機能する。取付ナット３１５と取付ボルト３２０は、板３３５、３４０上のどこかに配置して、拘束ブラケット１４５に対する十分な支持及び確実な固定を可能にできる。本発明の第２の実施形態は、図４及び７に示すように、２つの荷重ボルト３２５と、対応する荷重ナット３３０を更に備える。しかし、ジェットポンプ拘束具アセンブリリペア３００の実施形態は、２つ以上又は以下の荷重ボルト３２５と対応する荷重ナット３３０を備えていても良い。本発明の第２の実施形態において、２つの荷重ボルト３２５は、図４及び７に示すように、下部支持板３４０を貫通しても良い。各々の荷重ボルト３２５の端部は、入口ミキサ１２０の表面にしっかりと係合する形状を備える。荷重ボルト３２５は、下部支持板３４０の側部３４５（１つだけ示す）を貫通する。この特徴は、くさび１５５が通常／係合位置にある間に、ジェットポンプ拘束具アセンブリリペア３００が拘束ブラケット１４５と一体化することを可能にする。
【００３１】
図８は、本発明の第２の実施形態に従った、拘束ブラケット１４５と連結する図７のジェットポンプ拘束具アセンブリリペア３００の少し頭上の角度からの斜視図である。図８は、組み立てられ、拘束ブラケット１４５上に取り付けられた図７のジェットポンプ拘束具アセンブリリペア３００を示す。先に述べたように、本発明の第２の実施形態は、図７に示すように、下部支持板３４０を貫通する２つの荷重ボルト３２５を設ける。これは、本発明に対する限定を意図していない。本発明のその他の実施形態は、少なくとも１つの荷重ボルト３２５が上部支持板３３５だけを貫通することを可能にする。更に、本発明のその他の実施形態は、少なくとも１つの荷重ボルト３２５が上部支持板３３５を貫通し、少なくとも１つの荷重ボルト３２５が下部支持板３４０を貫通することを可能にする。
【００３２】
図９は、本発明の第２の実施形態に従った、拘束ブラケット１４５と連結する図７のジェットポンプ拘束具アセンブリリペア３００の実施形態の少し下の角度からの斜視図である。図９は、本発明の実施形態が、図４及び５に示す、荷重ナット３３０を必要としない荷重ボルト３２５を組み込んでいることを示す。これらの荷重ボルト３２５は、前述のように、予圧をジェットポンプアセンブリ１０５又はくさび１５５に案内するトルクをかけるための皿穴手段を備える。
【００３３】
図９は、更に、本発明の実施形態が、どのように入口ミキサ１２０上に直接多数の接触点を設けるのかを示す。ここでは、例えば、これに限らないが、ジェットポンプ拘束具アセンブリリペア３００は、入口ミキサ１２０上に直接２つの更なる接触点を設ける。従って、５つの接触点が可能になる。ジェットポンプ拘束具アセンブリリペア３００による２つ、調節ねじ１５０による２つ、及びくさび１５５による１つである。
【００３４】
本発明の第２の実施形態は、更に、各々の荷重ボルト３２５が独立して入口ミキサ１２０に予圧を付与することを可能にする。ここでは、各々の荷重ボルト３２５にかけられるトルクは、部分的には、例えば、これに限らないが、ジェットポンプ拘束具アセンブリリペア３００上の各々の荷重ボルト３２５の物理的な位置に応じて変化する。
【００３５】
例示的実施形態は、２つの支持板（一方は拘束ブラケット１４５より上に位置し、他方は拘束ブラケット１４５より下に位置する）と、４つの取付ボルト３２０（拘束ブラケット１４５の両側に２つずつ位置する）を示しているが、上述の実施形態は本発明を限定することを意図していないことを理解されたい。詳細には、ジェットポンプ拘束具アセンブリリペア３００は、たった１つの支持板（拘束ブラケット１４５より上又は下に位置する）と、支持板３０５、３１０、３３５、３４０を拘束ブラケット１４５にしっかりと取り付ける任意の位置に配置されたそれ以上又はそれ以下の数の取付ボルト３２０を備える。
【００３６】
更に、例示的実施形態は、板３０５、３１０、３３５、３４０を保持し、ジェットポンプ拘束具アセンブリリペア３００を拘束ブラケット１４５に固定するために取付ボルト３２０を使用しているが、この目的を果たす任意の手段を使用しても良い。例えば、これに限らないが、クランプ、溶接部、ねじ、爪、接着剤、又はその他の手段を使用して、板３０５、３１０、３３５、３４０を拘束ブラケット１４５に取り付けても良い。板３０５、３１０、３３５、３４０は本明細書を通して複数（詳細には、２つの板）と言及されているが、これに対して、代わりにたった１つの支持板を使用しても良いことを理解されたい。更に、例示的実施形態は、好ましくは拘束ブラケット１４５を貫通しない取付ボルト３２０を示すが、例えば、取付ボルト、クランプ、ねじ、爪だがこれに限らない取付手段は、板３０５、３１０、３３５、３４０を拘束ブラケット１４５に取り付ける手段として、代わりに拘束ブラケット１４５を貫通させても良い。
【００３７】
本発明の実施形態は多くの利益をもたらし、その一部を記載している。更に、本発明の実施形態は自立型であり、周囲の取付具への交代を必要としない。更に、本発明は、現場測定、仕上げ機械加工、追加工具を必要とせず、停止時間を削減できる。
【００３８】
その幾つかの例示的実施形態のみに関して本発明をかなり詳細に図示及び説明してきたが、本発明の新規な教示及び利点から実質的に逸脱することなく、特に前述の教示に照らして開示の実施形態に対して様々な変更、省略及び追加を行なうことができるので、本発明をそれらの実施形態に限定することを意図するものではないことを当業者には理解されたい。従って、全てのそのような変更、省略、追加及び等価物は、特許請求の範囲で定義される本発明の技術思想及び技術的範囲内に包含できるものとして保護することを意図する。
【符号の説明】
【００３９】
２５  沸騰水型原子炉（「ＢＷＲ」）
３０  原子炉圧力容器（「ＲＰＶ」）
３５  給水入口ノズル
４０  主蒸気出口ノズル
４５  炉心シュラウド
５０  燃料アセンブリ
５５  蒸気分離器／乾燥器アセンブリ
６０  再循環ループ
６５  原子炉冷却材ポンプ
７０  再循環水出口ノズル
７５  ポンプ吸水管
８０  ポンプ排水管
８５  ヘッダー
９０  配管
９５  入口ノズル
１００  立上り管
１０５  ジェットポンプアセンブリ
１１０  マニホルド
１１５  入口
１２０  入口ミキサ
１２５  ディフューザ部
１３０  板
１３５  ジェットポンプ拘束具アセンブリ
１４０  ボス
１４５  拘束ブラケット
１５０  調節ねじ
１５５  くさび
１６０  水平板
１６５  垂直板
１７０  溶接部
１７５  案内ロッド
１８５  穴
１９０  外面
１９５  端部
２００  案内ロッドナット
２０５  水平板
２１０  垂直板
３００  ジェットポンプ拘束具アセンブリリペア
３０５  上部支持板
３１０  下部支持板
３１５  取付ナット
３２０  取付ボルト
３２５  荷重ボルト
３３０  荷重ナット
３３５  上部支持板
３４０  下部支持板
３４５  側部
３５０  領域
【図１】
0005588329.tif 000002
【図２】
0005588329.tif 000003
【図３】
0005588329.tif 000004
【図４】
0005588329.tif 000005
【図５】
0005588329.tif 000006
【図６】
0005588329.tif 000007
【図７】
0005588329.tif 000008
【図８】
0005588329.tif 000009
【図９】
0005588329.tif 000010